【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
発光素子を含む発光システムであって、発光素子は、
光発生領域、及び光発生領域によって支持される第１層を備えた複数の材料の多層積層体を備え、
第１層の表面は、光発生領域が生成する光を、発光素子から第１層の表面を通して放出可能に形成され、
表面は、非周期性パターンに従って空間的に変化する誘電関数を有し、及び
発光素子は、光発生領域が生成する光が発光素子から第１層の表面を通して放出されるときに、光を発光システムから放出することができるように構成される、発光システム。
【請求項２】
発光システムは、プロジェクタ、携帯型電子機器、コンピュータモニター、大型電子看板システム、車両照明システム、一般照明装置、高輝度照明装置、カメラフラッシュ、医療機器、電気通信システム、セキュリティ検知システム、統合オプトエレクトロニクスシステム、軍事通信システム、バイオセンシングシステム、光線力学療法装置、暗視ゴーグル、太陽電池駆動走行照明装置、緊急照明システム、空港滑走路照明システム、航空機照明システム、手術ゴーグル、携帯型光源、及びこれらの組合せから成るグループから選択される、請求項１記載の発光システム。
【請求項３】
発光システムはプロジェクタである、請求項１記載の発光システム。
【請求項４】
前記発光素子は表面を有するハウジングを有し、
前記発光素子はハウジングに収容され、及び
前記発光素子は、光発生領域が生成する光が発光素子から第１層の表面を通して放出されるときに、光を発光システムから放出することができるように構成される、請求項１記載の発光システム。
【請求項５】
光発生領域が生成する光が発光素子から第１層の表面を通して放出されるときに、光は、発光システムから放出される前に、少なくとも一つの光学部品を通過する、請求項１記載の発光システム。
【請求項６】
光発生領域、及び光発生領域によって支持される第１層を備えた複数の材料の多層積層
体を備えた発光素子を含む発光システムであって、
前記第１層の表面は、光発生領域が生成する光を、発光素子から第１層の表面を通して放出することができるように構成され、
前記第１層の表面は、パターンに従って空間的に変化する誘電関数を有し、
前記パターンは理想格子定数及びゼロよりも大きい値の微調整パラメータを有し、及び
前記発光素子は、光発生領域が生成する光が発光素子から第１層の表面を通して放出されるときに、光を発光システムから放出可能に形成されている、発光システム。
【請求項７】
光発生領域、及び該光発生領域によって支持される第１層を備えた複数の材料の多層積層体を備えた発光素子を含む発光システムであって、
第１層の表面は、光発生領域が生成する光を、発光素子から第１層の表面を通して放出可能に形成され、
表面は、複素周期パターンに従って空間的に変化する誘電関数を有し、及び
発光素子は、光発生領域が生成する光が発光素子から第１層の表面を通して放出されるときに、光を発光システムから放出することができるように構成される、発光システム。
【請求項８】
発光素子を含む発光システムであって、
ｎ型材料層、ｐ型材料層、及び光発生領域を備えた、複数の材料の多層積層体と、
前記光発生領域が生成する光の少なくとも５０％の光であって、反射材料層に衝突する光を反射する機能を有した反射材料層とを備え、
前記ｎ型材料層の表面は、光発生領域が生成する光を、発光素子からｎ型材料層の表面を通して放出可能に形成され、
前記ｎ型材料層の表面は、パターンに従って空間的に変化する誘電関数を有し、
ｐ型材料層と反射材料層との間の距離は、ｎ型材料層と反射材料層との間の距離よりも短く、
発光素子は、光発生領域が生成する光が発光素子からｎ型材料層の表面を通して放出されるときに、光を発光システムから放出することができるように構成される、発光システム。
【請求項９】
発光素子を含む発光システムであって、
光発生領域、及び該光発生領域によって支持される第１層を備えた複数の材料の多層積層体と、前期第１層の表面は、光発生領域が生成する光を、発光素子から第１層の表面を通して放出可能に形成され、及び第１層の表面は、パターンに従って空間的に変化する誘電関数を有することと、
光発生領域が生成する光の少なくとも５０％の光であって、反射材料層に衝突する光を反射する機能を有する反射材料層とを備え、
光発生領域は反射材料層と第１層との間に位置し、
パターンは第１層を超えて延びることがなく、
発光素子は、光発生領域が生成する光が発光素子から第１層の表面を通して放出されるときに、光を発光システムから放出することができるように構成される、発光システム。
【請求項１０】
発光素子を含む発光システムであって、
光発生領域、及び該光発生領域によって支持される第１層を備えた複数の材料の多層積層体と、前記第１層の表面は、光発生領域が生成する光を、発光素子から第１層の表面を通して放出可能に形成されていることと、
第１層の表面に接触し、かつ約１．５未満の屈折率を有する材料とを備え、
前記発光素子はパッケージングされ、及び、光発生領域が生成する光が発光素子から第１層の表面を通して放出されるときに、光を発光システムから放出することができるように構成される、発光システム。
【請求項１１】
発光素子を含む発光システムであって、
光発生領域、及び該光発生領域によって支持される第１層を備えた複数の材料の多層積層体と、前記第１層の表面は、光発生領域が生成する光を、発光素子から第１層の表面を通して放出可能に形成されていることと、前記第１層の表面はパターンに従って空間的に変化する誘電関数を有することと、
前記第１層の表面に支持されているリン材料とを備え、
前記発光素子の側壁はリン材料をほとんど含まず、及び、前記発光素子は、光発生領域が生成する光が発光素子から第１層の表面を通して放出されるときに、光を発光システムから放出することができるように構成される、発光システム。
【請求項１２】
発光素子を含む発光システムであって、発光素子は、多層積層体と、リン材料と、を備え、
光発生領域、及び該光発生領域によって支持される第１層を備えた複数の材料の多層積層体と、前記第１層の表面は、光発生領域が生成する光を、発光素子から第１層の表面を通して放出可能に形成されていることと、第１層の表面は、パターンに従って空間的に変化する誘電関数を有することと、
光発生領域によって生成され、かつ第１層の表面を通して放出される光がリン材料と相互反応してリン材料から放出される光がほぼ白色光になるように構成されたリン材料とを備え、
発光素子の面積に対する発光素子の高さの比は白色光が全方向に広がるように十分に小さく、及び発光素子は、光発生領域が生成する光が発光素子から第１層の表面を通して放出されるときに、光を発光システムから放出することができるように構成される、発光システム。
【請求項１３】
光発生領域、及び該光発生領域によって支持される第１層を備えた複数の材料の多層積層体と、前期第１層の表面は、光発生領域が生成する光を、発光素子から第１層の表面を通して放出可能に形成されていることと、
発光素子から放出される光をほぼ透過する材料からなる第１シートと、
リン材料からなり、第１シートに隣接する第２シートとを備える発光素子を含む発光システムであって、
前記発光素子はパッケージングされ、及び、前記第１及び第２シートは発光素子のパッケージの一部を形成し、及び、前記発光素子は、光発生領域が生成する光が発光素子から第１層の表面を通して放出されるときに、光を発光システムから放出可能に形成されている、発光システム。
【請求項１４】
光発生領域、及び該光発生領域によって支持される第１層を備えた複数の材料の多層積層体を備える発光素子を含む発光システムであって、
前記第１層の表面は、光発生領域が生成する光を、発光素子から第１層の表面を通して放出可能に形成され、
第１層の表面は、パターンに従って空間的に変化する誘電関数を有し、
前記パターンは、光発生領域によって生成され、かつ発光素子から第１層の表面を通して放出される光が、ランバート分布を示す光よりも平行度が高くなるように構成され、及び
前記発光素子は、光発生領域が生成する光が発光素子から第１層の表面を通して放出されるときに、光を発光システムから放出することができるように構成される、発光システム。
【請求項１５】
発光素子を含む発光システムであって、発光素子は、
光発生領域、及び該光発生領域によって支持される第１層を備えた複数の材料の多層積層体と、該多層積層体は、発光素子を使用している間に、光発生領域が生成する光を、発
光素子から第１層の表面を通して放出可能に形成されていることとを備え、
前記第１層の表面は、パターンに従って空間的に変化する誘電関数を有し、光発生領域によって生成される光の合計量の少なくとも約４５％の光であって、発光素子から放出される光が発光素子の表面を通して放出され、及び
前記発光素子は、光発生領域が生成する光が発光素子から第１層の表面を通して放出されるときに、光を発光システムから放出することができるように構成される、発光システム。
【請求項１６】
発光素子を含む発光システムであって、発光素子は、
光発生領域、及び該光発生領域によって支持される第１層を備えた複数の材料の多層積層体と、前記多層積層体は、発光素子を使用している間に、光発生領域が生成する光を、発光素子から第１層の表面を通して放出可能に形成されることとを備え、
前記発光素子は少なくとも約１ミリメートルの長さの端面を有し、前記発光素子は、発光素子の取り出し効率が発光素子の端面の長さにほぼ無関係となるように構成され、及び
前記発光素子は、光発生領域が生成する光が発光素子から第１層の表面を通して放出されるときに、光を発光システムから放出することができるように構成される、発光システム。
【請求項１７】
発光素子を含む発光システムであって、発光素子は、
光発生領域、及び該光発生領域によって支持される第１層を備えた複数の材料の多層積層体と、前記多層積層体は、発光素子を使用している間に、光発生領域が生成する光を、発光素子から第１層の表面を通して放出可能に形成されることとを備え、
前記発光素子は少なくとも約１ミリメートルの長さの端面を有し、前記発光素子は、発光素子の量子効率が発光素子の端面の長さにほぼ無関係となるように構成され、及び
前記発光素子は、光発生領域が生成する光が発光素子から第１層の表面を通して放出されるときに、光を発光システムから放出することができるように構成される、発光システム。
【請求項１８】
発光素子を含む発光システムであって、発光素子は、
光発生領域、及び該光発生領域によって支持される第１層を備えた複数の材料の多層積層体と、前記多層積層体は、発光素子を使用している間に、光発生領域が生成する光を、発光素子から第１層の表面を通して放出可能に形成されていることとを備え、
前記発光素子は少なくとも約１ミリメートルの長さの端面を有し、発光素子は、発光素子のウォールプラグ効率が発光素子の端面の長さにほぼ無関係となるように構成され、及び
前記発光素子は、光発生領域が生成する光が発光素子から第１層の表面を通して放出されるときに、光を発光システムから放出することができるように構成される、発光システム。
【請求項１９】
λが、光発生領域が生成することができ、かつ発光素子から第１層の表面を通して放出することができる光の波長である場合、前記第１層の表面は約λ／５未満のサイズの形状を有する、請求項１記載の発光システム。
【請求項２０】
前記発光システムは液晶ディスプレイ（LCD)システムである、請求項１記載の発光システム。